(57)【要約】【課題】ストリーミング配信されるコンテンツを効率的に記憶したい。【解決手段】ＬＡＮ通信部４０は、コンテンツ配信装置からストリーミング形式にて配信されるストリーミングコンテンツを受信する。入力部５４は、ＬＡＮ通信部４０において受信しているストリーミングコンテンツの保存指示を受けつける。制御部５２は、入力部５４において受けつけた保存指示をもとに、コンテンツ配信装置に対して、ストリーミングコンテンツに対応したコンテンツファイルのダウンロードを要求する。ＬＡＮ通信部４０は、制御部５２における要求にしたがって、コンテンツ配信装置からコンテンツファイルを受信する。【選択図】図５
2008167193.tif 000002
【特許請求の範囲】
【請求項１】
コンテンツ配信装置からストリーミング形式にて配信されるストリーミングコンテンツを受信するストリーミングコンテンツ受信部と、
前記ストリーミングコンテンツ受信部において受信しているストリーミングコンテンツの保存指示を受けつける指示受付部と、
前記指示受付部において受けつけた保存指示をもとに、前記コンテンツ配信装置に対して、ストリーミングコンテンツに対応したコンテンツファイルのダウンロードを要求するファイル要求部と、
前記ファイル要求部における要求にしたがって、前記コンテンツ配信装置からコンテンツファイルを受信するコンテンツファイル受信部と、
前記コンテンツファイル受信部において受信したコンテンツファイルを記憶するコンテンツ記憶部と、
を備えることを特徴とするコンテンツ受信装置。
【請求項２】
前記指示受付部において受けつけた保存指示を受けて、前記ストリーミングコンテンツ受信部において受信しているストリーミングコンテンツのコンテンツ情報を検知するコンテンツ情報検知部をさらに備え、
前記ファイル要求部は、前記コンテンツ情報検知部にて検知したコンテンツ情報に対応したコンテンツファイルのダウンロードを要求することを特徴とする請求項１に記載のコンテンツ受信装置。
【請求項３】
コンテンツを記憶するコンテンツ記憶部と、
前記コンテンツ記憶部に記憶したコンテンツの形式を、ストリーミング配信に適した形式に変換するコンテンツ変換部と、
前記コンテンツ変換部において変換したコンテンツをストリーミング配信するコンテンツ配信部と、
前記コンテンツ配信部によってストリーミング配信したコンテンツに対するダウンロードの要求をもとに、前記コンテンツ記憶部に記憶したコンテンツをダウンロード配信するコンテンツ送信部と、
を備えることを特徴とするコンテンツ配信装置。
【請求項４】
前記コンテンツ変換部は、コンテンツの識別情報をコンテンツに付加することを特徴とする請求項３に記載のコンテンツ配信装置。
【請求項５】
コンテンツ配信装置からストリーミング形式にて配信されるストリーミングコンテンツを受信するステップと、
受信しているストリーミングコンテンツの保存指示を受けつけると、前記コンテンツ配信装置に対して、ストリーミングコンテンツに対応したコンテンツファイルのダウンロードを要求するステップと、
前記コンテンツ配信装置からコンテンツファイルを受信した後に記憶するステップと、
を備えることを特徴とするコンテンツ受信方法。
【請求項６】
コンテンツをコンテンツ受信装置にストリーミング配信するステップと、
ストリーミング配信したコンテンツに対するダウンロードの要求をもとに、コンテンツをダウンロード配信するステップと、
を備えることを特徴とするコンテンツ配信方法。
【発明の詳細な説明】
【技術分野】
【０００１】
本発明は、コンテンツ配信技術およびコンテンツ受信技術に関し、特にコンテンツをストリーミング配信するコンテンツ配信方法、コンテンツ受信方法、コンテンツ配信装置およびコンテンツ受信装置に関する。
【背景技術】
【０００２】
視聴者において、放送番組の一部を見た後に、その全体を録画したいという要求がある。このような要求を解決するための技術が検討されている。例えば、放送番組を受信すると、番組の開始時から自動的に放送が録画され、番組の第１の部分が一時的な記憶領域に記憶される。また、番組の開始後、視聴者から録画コマンドを受信した時点にておいて、半永久的な記憶領域内にスペースが割り振られる。その結果、番組の第２の部分が、半永久的な記憶領域の割り振られたスペース中に録画される。最終的に、番組の第１および第２の部分が半永久的な記憶領域内で結合されて、番組の録画が作成される（例えば、特許文献１参照）。このような構成では、放送番組を視聴するための端末装置に加えて、放送番組を記録するための装置が必要になる。
【特許文献１】特表２００４−５０５５５４号公報
【発明の開示】
【発明が解決しようとする課題】
【０００３】
外出先において、視聴者が、携帯端末装置を使用しながら、放送番組を視聴しつつ録画するような形態の場合、放送番組を記録するための装置を別途用意することは困難である。また、視聴者が録画を希望するか不明である放送番組を予め録画することは、携帯端末装置の電力を無駄に消費してしまう。
【０００４】
本発明はこうした状況に鑑みてなされたものであり、その目的は、ストリーミング配信されるコンテンツを効率的に記憶するコンテンツ配信技術およびコンテンツ受信技術を提供することにある。
【課題を解決するための手段】
【０００５】
上記課題を解決するために、本発明のある態様のコンテンツ受信装置は、コンテンツ配信装置からストリーミング形式にて配信されるストリーミングコンテンツを受信するストリーミングコンテンツ受信部と、ストリーミングコンテンツ受信部において受信しているストリーミングコンテンツの保存指示を受けつける指示受付部と、指示受付部において受けつけた保存指示をもとに、コンテンツ配信装置に対して、ストリーミングコンテンツに対応したコンテンツファイルのダウンロードを要求するファイル要求部と、ファイル要求部における要求にしたがって、コンテンツ配信装置からコンテンツファイルを受信するコンテンツファイル受信部と、コンテンツファイル受信部において受信したコンテンツファイルを記憶するコンテンツ記憶部と、を備える。
【０００６】
「コンテンツ」とは、番組に含まれた映像データ、音声データ、情報データのそれぞれあるいはそれらの任意の組合せに相当する。また、「コンテンツ」は、映像データ等のそのものでもよく、あるいは映像データ等に対して符号化等の処理を行ったものでもよい。この態様によると、ストリーミングコンテンツを受信している場合に、コンテンツファイルをダウンロードして記憶するので、ストリーミング配信されるコンテンツを効率的に記憶できる。
【０００７】
指示受付部において受けつけた保存指示を受けて、ストリーミングコンテンツ受信部において受信しているストリーミングコンテンツのコンテンツ情報を検知するコンテンツ情報検知部をさらに備えてもよい。ファイル要求部は、コンテンツ情報検知部にて検知したコンテンツ情報に対応したコンテンツファイルのダウンロードを要求してもよい。この場合、ストリーミングコンテンツのコンテンツ情報に対応したコンテンツファイルのダウンロードを要求するので、ストリーミングコンテンツが複数種類あっても、所望のコンテンツファイルを記憶できる。
【０００８】
本発明の別の態様は、コンテンツ配信装置である。この装置は、コンテンツを記憶するコンテンツ記憶部と、コンテンツ記憶部に記憶したコンテンツの形式を、ストリーミング配信に適した形式に変換するコンテンツ変換部と、コンテンツ変換部において変換したコンテンツをストリーミング配信するコンテンツ配信部と、コンテンツ配信部によってストリーミング配信したコンテンツに対するダウンロードの要求をもとに、コンテンツ記憶部に記憶したコンテンツをダウンロード配信するコンテンツ送信部と、を備える。
【０００９】
この態様によると、ストリーミングコンテンツを配信している場合に、要求に応じてコンテンツファイルをダウンロード配信するので、ストリーミング配信しているコンテンツを効率的に記憶させることができる。
【００１０】
コンテンツ変換部は、コンテンツの識別情報をコンテンツに付加してもよい。この場合、コンテンツの情報をコンテンツに付加するので、ストリーミングコンテンツが複数種類あっても、所望のコンテンツを特定させることができる。
【００１１】
本発明のさらに別の態様は、コンテンツ受信方法である。この方法は、コンテンツ配信装置からストリーミング形式にて配信されるストリーミングコンテンツを受信するステップと、受信しているストリーミングコンテンツの保存指示を受けつけると、コンテンツ配信装置に対して、ストリーミングコンテンツに対応したコンテンツファイルのダウンロードを要求するステップと、コンテンツ配信装置からコンテンツファイルを受信した後に記憶するステップと、を備える。
【００１２】
本発明のさらに別の態様は、コンテンツ配信方法である。この方法は、コンテンツをコンテンツ受信装置にストリーミング配信するステップと、ストリーミング配信したコンテンツに対するダウンロードの要求をもとに、コンテンツをダウンロード配信するステップと、を備える。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、ストリーミング配信されるコンテンツを効率的に記憶できる。
【発明を実施するための最良の形態】
【００１５】
本発明を具体的に説明する前に、概要を述べる。本発明の実施例は、広告情報等の通信すべきコンテンツ（以下、「通信コンテンツ」という）をコンテンツ配信装置からコンテンツ受信装置に配信するコンテンツ配信システムに関する。ここで、コンテンツ受信装置は、例えば、携帯電話端末装置やＰＤＡ（Ｐｅｒｓｏｎａｌ  Ｄｉｇｉｔａｌ  Ａｓｓｉｓｔａｎｔ）などに相当する。コンテンツ配信システムにおいて、コンテンツ配信装置は、無線ＬＡＮ（Ｌｏｃａｌ  Ａｒｅａ  Ｎｅｔｗｏｒｋ）方式を用いて通信コンテンツを放送し、ユーザは、コンテンツ受信装置にて通信コンテンツを受信し視聴する。なお、コンテンツ配信装置が複数の通信コンテンツを配信する場合は、各通信コンテンツに別のチャネルを割り当てて、同時に配信してもよいし、ひとつのチャネルにて複数の通信コンテンツを切替ながら順に配信してもよい。
【００１６】
ユーザがコンテンツ受信装置にて通信コンテンツを視聴中に、通信コンテンツの録画指示を行うと、コンテンツ受信装置は通信コンテンツのダウンロードをコンテンツ配信装置に要求する。コンテンツ配信装置は、通信コンテンツを配信する際のチャネルとは別のチャネルを設定し、設定したチャネルにおいてコンテンツをダウンロード配信する。また、コンテンツ受信装置は、ダウンロード配信されたコンテンツを記憶する。つまり、コンテンツの放送を視聴している途中で録画指示を受けた場合に、コンテンツ受信装置は、コンテンツ配信装置に通信コンテンツのダウンロード要求を行い、コンテンツ全体を取得し、コンテンツを録画する。
【００１７】
なお、放送されている通信コンテンツが複数存在する場合には、コンテンツ配信装置が、通信コンテンツにコンテンツ識別情報を付加し、コンテンツ受信装置は、識別情報をもとに特定の通信コンテンツのダウンロードを要求する。このような処理によって、複数の通信コンテンツが存在する場合にも対応できる。ここで、チャネルとは、ＩＰマルチキャストにて通信コンテンツを配信する場合、送信先となるＩＰアドレスとポート番号の組合せに相当する。また、ＩＰマルチキャストでない場合、ポート番号によりチャネルを指定してもよい。
【００１８】
図１は、本発明の実施例に係るコンテンツ配信システム１００の構成を示す。コンテンツ配信システム１００は、コンテンツ配信装置１０、コンテンツ受信装置１２を含む。ここで、コンテンツ受信装置１２は、複数存在してもよい。
【００１９】
コンテンツ配信装置１０は、コンテンツを蓄積する。また、コンテンツ配信装置１０は、蓄積したコンテンツに対して、通信コンテンツのフォーマットへの変換を実行し、無線ＬＡＮ方式にて通信コンテンツを配信する。「通信コンテンツ」は、特に、無線ＬＡＮ方式等による送信に適合したフォーマットである。さらに、コンテンツ配信装置１０は、コンテンツ受信装置１２からの通信コンテンツのダウンロードの要求に対して、通信コンテンツをダウンロード配信する。
【００２０】
コンテンツ受信装置１２は、コンテンツ配信装置１０から無線ＬＡＮ方式を使用して配信される通信コンテンツを受信し、受信した通信コンテンツのフォーマットを放送用フォーマットに変換する。また、コンテンツ受信装置１２は、放送用フォーマットへ変換した通信コンテンツを出力する。さらに、コンテンツ受信装置１２は、ユーザからの録画指示にしたがって、コンテンツ配信装置１０に通信コンテンツのダウンロードを要求し、ダウンロード配信されたコンテンツを記録する。
【００２１】
図２は、コンテンツ配信装置１０の構成を示す。コンテンツ配信装置１０は、アンテナ２８、ＬＡＮ配信部２４、コンテンツ記憶部２０、コンテンツ変換部２２、制御部２６を含む。コンテンツ記憶部２０は、コンテンツを記憶する。コンテンツ記憶部２０に記憶されたコンテンツのフォーマットは、後述する。また、コンテンツ記憶部２０は、通信コンテンツを記憶してもよい。
【００２２】
コンテンツ変換部２２は、コンテンツ記憶部２０に記憶したコンテンツの形式を、ストリーミング配信に適した形式（以下、ストリーミング配信に適した形式のコンテンツも「通信コンテンツ」という）に変換する。つまり、コンテンツ変換部２２は、コンテンツ記憶部２０に記憶されているコンテンツを取得し、コンテンツのフォーマットを無線ＬＡＮ方式により配信できるフォーマットに変換し、変換した通信コンテンツをＬＡＮ配信部２４に出力する。ここで、コンテンツ変換部２２は、コンテンツの識別情報を通信コンテンツに付加する場合もある。例えば、コンテンツ配信装置１０が複数の通信コンテンツを配信している場合に、コンテンツ受信装置１２およびコンテンツ配信装置１０が、後述するダウンロードの要求におけるコンテンツを識別できるように、コンテンツ変換部２２は、通信コンテンツを識別するためのコンテンツ情報を通信コンテンツに含ませる。
【００２３】
図３（ａ）−（ｄ）は、コンテンツ配信装置１０において処理されるコンテンツのフォーマットを示す。図３（ａ）は、地上デジタル放送において規定されているコンテンツのフォーマットを示す。図３（ａ）が前述の放送用フォーマットに相当する。コンテンツは、複数のＴＳパケットにて構成されており、それらは、図３（ａ）において、「ＴＳ１」、「ＴＳ２」から「ＴＳ１８」のごとく示されている。なお、ＴＳパケットとは、地上デジタル放送において規定されているデータの単位であり、図示しないコンテンツ受信装置１２は、ＴＳパケットに対して地上デジタル放送用の復号機能を使用できる。
【００２４】
図３（ｂ）−（ｄ）は、コンテンツ記憶部２０において記憶されたコンテンツおよびコンテンツ変換部２２において変換されるコンテンツのフォーマットを示す。コンテンツ記憶部２０は、図３（ａ）に示されたフォーマットを複数に分割した形式にてコンテンツを記憶する。つまり、コンテンツ記憶部２０は、図３（ｂ）に示された「ＴＳ１」から「ＴＳ７」にて構成されたフォーマット、図３（ｃ）に示された「ＴＳ８」から「ＴＳ１４」にて構成されたフォーマット、図３（ｄ）にて示された「ＴＳ１５」から「ＴＳ１８」にて構成されたフォーマットを記憶する。
【００２５】
また、コンテンツ変換部２２は、コンテンツ記憶部２０から取得したコンテンツに対して、図３（ｂ）−（ｄ）に示された独自ヘッダを付加する。ここで、独自ヘッダに、コンテンツを識別するためのコンテンツ情報が格納される。ここでは、コンテンツ変換部２２が各コンテンツに動的に独自ヘッダを付加したが、コンテンツ記憶部２０において、独自ヘッダを付加した状態のコンテンツが記憶されていてもよい。
【００２６】
図４（ａ）−（ｅ）は、コンテンツ配信装置１０において生成されるＩＰパケットのフォーマットを示す。図４（ａ）は、ＩＰパケットのフォーマットを示しており、ＩＰパケットは、ＩＰヘッダ部とＩＰパケットデータ部によって構成される。図４（ｂ）は、ＩＰパケットデータ部のフォーマットを示しており、ＩＰパケットデータ部は、ＵＤＰヘッダ部とＵＤＰデータ部とによって構成される。図４（ｃ）は、ＵＤＰデータ部のフォーマットを示しており、ＵＤＰデータ部は、ＲＴＰヘッダ部とＲＴＰデータ部とによって構成される。
【００２７】
図４（ｄ）は、ＲＴＰデータ部のフォーマットを示しており、ＲＴＰデータ部は、独自ヘッダ部と独自データ部とによって構成される。図４（ｅ）は、独自データ部の構成を示しており、独自データ部には、配信すべきコンテンツが複数のＴＳパケットの形式にて格納される。なお、ひとつのＩＰパケットが、ひとつのＴＳパケットを格納してもよいし、図示のごとく複数のＴＳパケットを格納してもよい。ひとつのＩＰパケットに、コンテンツのすべてのＴＳパケットを格納できない場合、図３（ｂ）−（ｄ）のごとく、ＴＳパケットは、データ列の順序にしたがって分割され、それぞれを複数のＩＰパケットの独自データ部に格納してもよい。
【００２８】
独自ヘッダには、独自データ部に割り当てられたコンテンツを識別するためのコンテンツ情報が格納される。なお、コンテンツ変換部２２は、コンテンツ記憶部２０から図４（ｅ）のフォーマットにて示されたコンテンツを受けつけると、図４（ｄ）、図４（ｃ）、図４（ｂ）、図４（ａ）の順に変換を実行する。ここで、図４（ａ）に示されたフォーマットに変換されたコンテンツが、前述の通信コンテンツに相当する。図２に戻る。
【００２９】
制御部２６は、コンテンツ変換部２２において生成した通信コンテンツを後述のＬＡＮ配信部２４から配信している場合に、ＬＡＮ配信部２４が図示しないコンテンツ受信装置１２からコンテンツダウンロード要求を受けた場合、次の処理を実行する。制御部２６は、ＬＡＮ配信部２４から現在配信している通信コンテンツを識別し、当該通信コンテンツに対応したコンテンツであって、かつコンテンツ記憶部２０に記憶したコンテンツを特定する。また、制御部２６は、コンテンツダウンロード要求を送信したコンテンツ受信装置１２に対して、特定したコンテンツをダウンロード配信するように、ＬＡＮ配信部２４に依頼する。なお、ＬＡＮ配信部２４から複数種類の通信コンテンツが配信されている場合、制御部２６は、コンテンツダウンロード要求を受けると、コンテンツダウンロード要求に含まれるコンテンツ情報を取得し、取得したコンテンツ情報に対応したコンテンツを特定する。
【００３０】
ＬＡＮ配信部２４は、アンテナ２８を介して、コンテンツ変換部２２において生成した通信コンテンツをストリーミング配信する。ここで、ＬＡＮ配信部２４は、通信コンテンツを繰り返し配信してもよい。ＬＡＮ配信部２４は、図３（ｂ）−（ｄ）に示された複数のコンテンツに対応したＩＰパケットを順に配信する。ＬＡＮ配信部２４は、制御部２６から放送終了の指示を受けるまで、ＩＰパケットの配信を繰り返す。ＬＡＮ配信部２４は、図示しないコンテンツ受信装置１２から、ストリーミング配信した通信コンテンツに対するコンテンツダウンロードの要求を受信する。
【００３１】
また、ＬＡＮ配信部２４は、コンテンツダウンロードの要求を受信した場合に、制御部２６に、コンテンツダウンロード要求を転送する。さらに、ＬＡＮ配信部２４は、制御部２６からのコンテンツの送信依頼を受けた場合に、コンテンツ記憶部２０に記憶されているコンテンツのうち、制御部２６によって特定されたコンテンツをコンテンツ受信装置１２にダウンロード配信する。なお、ダウンロード配信されるコンテンツは、図３（ａ）に示されたフォーマットを有していてもよい。また、その際、コンテンツに対して、ファイル圧縮処理がなされていてもよい。
【００３２】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
図５は、コンテンツ受信装置１２の構成を示す。コンテンツ受信装置１２は、ＬＡＮ通信部４０、ＩＰパケット処理部４２、コンテンツ処理部４４、ＴＳパケット処理部４６、出力部４８、データ記憶部５０、制御部５２、入力部５４、アンテナ５６を含む。
【００３４】
ＬＡＮ通信部４０は、アンテナ５６を介して、図示しないコンテンツ配信装置１０からストリーミング形式にて配信される通信コンテンツを受信する。つまり、ＬＡＮ通信部４０は、無線ＬＡＮ方式を対応したＩＰパケットを受信する。ＬＡＮ通信部４０は、ＩＰパケットを受信すると、ＩＰパケットデータ部をＩＰパケット処理部４２に出力する。
【００３５】
ＩＰパケット処理部４２は、ＬＡＮ通信部４０から受け取ったＩＰパケットデータ部をコンテンツ処理部４４に出力する。コンテンツ処理部４４は、受けつけたＩＰパケットデータ部からＴＳパケットを抽出し、ＴＳパケットを順にＴＳパケット処理部４６に出力する。前述のごとく、ＩＰパケットデータ部には、ＵＤＰパケットが格納され、さらに、ＵＤＰパケットのＵＤＰパケットデータ部には、ＲＴＰパケットが格納されている。このようなＲＴＰパケットはＴＳパケットを含んでいるので、コンテンツ処理部４４は、ＲＴＰパケットからＴＳパケットを抽出する。また、コンテンツ処理部４４は、バッファリングなどを実行することによって、ＴＳパケットを安定的に出力する機能も有している。
【００３６】
ＴＳパケット処理部４６は、順次、受け取ったＴＳパケットを解析し、コンテンツを再生する。ＴＳパケット処理部４６は、ＴＳパケットを受けつけ、ＰＩＤ（Ｐａｃｋｅｔ  ＩＤ）をもとに、映像および音声用のＴＳパケットを選別する。また、ＴＳパケット処理部４６は、選別結果に応じて、内蔵したＡＡＣデコーダあるいはＨ．２６４デコーダにＴＳパケットを処理する。なお、この処理のために、ＳＩ／ＰＳＩ（Ｓｅｒｖｉｃｅ  Ｉｎｆｏｒｍａｔｉｏｎ  ／  Ｐｒｏｇｒａｍ  Ｓｐｅｃｉｆｉｃ  Ｉｎｆｏｒｍａｔｉｏｎ）と呼ばれる制御用情報を含んだパケットが使用される。また、ビデオ信号、オーディオ信号以外にもデータ放送や字幕の情報が含まれることもあるが、本実施例では省略する。
【００３７】
Ｈ．２６４デコーダは、映像に関連するＴＳパケットのヘッダを取り除き、ペイロードを連結してＰＥＳ（Ｐａｃｋｅｔｉｚｅｄ  Ｅｌｅｍｅｎｔａｒｙ  Ｓｔｒｅａｍ）パケットを生成する。また、Ｈ．２６４デコーダは、ＰＥＳパケットのヘッダを取り除き、ペイロードを連結することによって、ＥＳ（Ｅｌｅｍｅｎｔａｒｙ  Ｓｔｒｅａｍ）を取得する。さらに、Ｈ．２６４デコーダは、ＥＳを復号して、非圧縮の映像信号を出力部４８に出力する。ＡＡＣデコーダは、音声パケットに対して、Ｈ．２６４デコーダと同様に動作し、音声信号を出力部４８に出力する。
【００３８】
出力部４８は、液晶画面などによって構成されており、Ｈ．２６４デコーダから出力された映像信号を表示することによって、ユーザに映像を提供する。また、出力部４８は、スピーカー等も含んでおり、ＡＡＣデコーダから出力された音声信号を出力することによって、ユーザに音声を提供する。
【００３９】
入力部５４は、ユーザとのインターフェイスであり、ユーザから、ＬＡＮ通信部４０において受信している通信コンテンツの保存指示を受けつける。入力部５４は、受けつけた指示を制御部５２に出力する。ＩＰパケット処理部４２は、制御部５２からの録画要求を受け取ると、ＬＡＮ通信部４０から受け取ったＩＰパケットデータ部の独自ヘッダからコンテンツ情報を取り出し、取り出したコンテンツ情報を制御部５２に出力する。つまり、ＩＰパケット処理部４２は、入力部５４において受けつけた保存指示をもとに、ＬＡＮ通信部４０において受信している通信コンテンツのコンテンツ情報を検知する。
【００４０】
制御部５２は、入力部５４において受けつけた保存指示をもとに、図示しないコンテンツ配信装置１０に対して、通信コンテンツに対応したコンテンツファイルのダウンロードをＬＡＮ通信部４０に要求させる。つまり、制御部５２は、入力部５４からの指示をもとに、コンテンツのダウンロードをＬＡＮ通信部４０に依頼する。なお、制御部５２は、ＩＰパケット処理部４２にて検知したコンテンツ情報に対応したコンテンツファイルのダウンロードをＬＡＮ通信部４０に要求させる。
【００４１】
ＬＡＮ通信部４０は、制御部５２から、コンテンツ情報とコンテンツファイルのダウンロード要求を依頼された場合、コンテンツ情報に対応するコンテンツファイルのダウンロード要求をコンテンツ配信装置１０に送信する。ＬＡＮ通信部４０は、制御部５２における要求にしたがって、図示しないコンテンツ配信装置１０からコンテンツファイルをダウンロードする。また、ＬＡＮ通信部４０は、受信したコンテンツファイルをデータ記憶部５０に転送する。データ記憶部５０は、ＬＡＮ通信部４０においてダウンロードしたコンテンツファイルを記憶する。
【００４２】
以上の構成によるコンテンツ配信システム１００の動作を説明する。図６は、コンテンツ配信システム１００によるコンテンツのダウンロード手順を示すシーケンス図である。コンテンツ配信装置１０は、通信コンテンツをコンテンツ受信装置１２にストリーミング配信する（Ｓ１０）。ユーザは、コンテンツ受信装置１２によって、配信された通信コンテンツを視聴する。
【００４３】
コンテンツ受信装置１２は、コンテンツ視聴中に、ユーザから保存指示を受けつけると（Ｓ１２）、コンテンツ配信装置１０に対して、ダウンロード要求を送信する（Ｓ１４）。その際、通信コンテンツのストリーミング配信は、引き続き実行される。コンテンツ配信装置１０は、コンテンツ受信装置１２からのダウンロードの要求を受信すると、配信中の通信コンテンツに対応したコンテンツをコンテンツ受信装置１２にダウンロード配信する（Ｓ１６）。コンテンツ受信装置１２は、受信したコンテンツを記憶する（Ｓ１８）。
【００４４】
図７は、コンテンツ配信装置１０によるＩＰパケットの配信手順を示すフローチャートである。コンテンツ変換部２２は、コンテンツ記憶部２０からコンテンツを取得し（Ｓ３０）、送信コンテンツとしてのＩＰパケットを生成し、ＬＡＮ配信部２４に出力する。ＬＡＮ配信部２４は、ＩＰパケットを順にストリーミング配信する（Ｓ３２）。放送が終了しなければ（Ｓ３４のＮ）、ステップ３２に戻る。放送が終了すれば（Ｓ３４のＹ）、処理が終了される。
【００４５】
図８は、コンテンツ配信装置１０によるコンテンツのダウンロード配信手順を示すフローチャートである。ＬＡＮ配信部２４は、図７の手順にしたがって、通信コンテンツをストリーミング配信する（Ｓ５０）。コンテンツ受信装置１２からのダウンロード要求を受けつければ（Ｓ５２のＹ）、ＬＡＮ配信部２４は、制御部２６からの指示に応じて、コンテンツをダウンロード配信する（Ｓ５４）。コンテンツ受信装置１２からのダウンロード要求を受けつけなければ（Ｓ５２のＮ）、ステップ５４の処理はスキップされる。ストリーミング配信が終了されなければ（Ｓ５６のＮ）、ステップ５０に戻る。ストリーミング配信が終了されれば（Ｓ５６のＹ）、処理が終了される。
【００４６】
図９は、コンテンツ受信装置１２によるコンテンツのダウンロード手順を示すフローチャートである。ＬＡＮ通信部４０は、ストリーミング配信された通信コンテンツを受信し、ＴＳパケット処理部４６は、通信コンテンツに含まれた映像データや音声データを再生する（Ｓ７０）。入力部５４が保存指示を受けつけると（Ｓ７２のＹ）、ＬＡＮ通信部４０は、コンテンツ配信装置１０にダウンロード要求を送信する（Ｓ７４）。
【００４７】
ＬＡＮ通信部４０は、ダウンロード配信されたコンテンツを受信し（Ｓ７６）、データ記憶部５０は、受信したコンテンツを記憶する（Ｓ７８）。入力部５４が保存指示を受けつけなければ（Ｓ７２のＮ）、ステップ７４からステップ７８の処理はスキップされる。ストリーミング配信が終了されなければ（Ｓ８０のＮ）、ステップ７０に戻る。ストリーミング配信が終了されれば（Ｓ８０のＹ）、処理が終了される。
【００４８】
図１０は、ＴＳパケット処理部４６の動作手順を示すフローチャートである。ＴＳパケット処理部４６は、受けつけたＴＳパケットに対して、映像および音声用のＴＳパケットの分離処理を実行する（Ｓ１００）。ＴＳパケット処理部４６は、映像用のＴＳパケットおよび音声用のＴＳパケットのそれぞれに対して出力処理を実行する（Ｓ１０２）。つまり、ＴＳパケット処理部４６は、映像用のＴＳパケットから映像を再生し、音声用のＴＳパケットから音声を再生する。
【００４９】
本発明の実施例によれば、通信コンテンツをストリーミング配信している場合に、要求に応じてコンテンツファイルをダウンロード配信するので、ストリーミング配信しているコンテンツを効率的に記憶させることができる。また、ストリーミング配信している通信コンテンツとは別にコンテンツファイルをダウンロード配信するので、通信コンテンツの再生が途中であっても、コンテンツの先頭から記憶させることができる。また、コンテンツの情報をコンテンツに付加するので、ストリーミングコンテンツが複数種類あっても、所望のコンテンツを特定させることができる。
【００５０】
また、ストリーミングコンテンツを受信している場合に、コンテンツファイルを受信して記憶するので、ストリーミング配信されるコンテンツを効率的に記憶できる。また、ストリーミング配信されている通信コンテンツとは別にダウンロード配信されるコンテンツファイルを受信するので、通信コンテンツの再生が途中であっても、コンテンツの先頭から記憶できる。また、ストリーミングコンテンツのコンテンツ情報に対応したコンテンツファイルのダウンロードを要求するので、ストリーミングコンテンツが複数種類あっても、所望のコンテンツファイルを記憶できる。
【００５１】
また、ユーザが、通信コンテンツを視聴中に、任意のタイミングで録画指示を行った場合に、コンテンツ受信装置にて、通信コンテンツの放送の開始から終了までを録画できる。また、コンテンツ受信装置からコンテンツ配信装置へのダウンロード要求に、そのコンテンツ情報を持たせることによって、通信コンテンツを特定できる。また、コンテンツ配信装置が送信すべき通信コンテンツの特定を簡易化し、複数の通信コンテンツのダウンロードを可能にできる。
【００５２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５３】
本発明の実施例において、コンテンツ配信装置１０は、複数の通信コンテンツを配信している。しかしながらそれに限らず例えば、コンテンツ配信装置１０は、１種類の通信コンテンツのみを配信してもよい。その際、コンテンツ情報が付加されなくてもよい。本変形例によれば、処理をさらに簡易にできる。
【００５４】
本発明の実施例において、コンテンツ受信装置１２は、視聴中の通信コンテンツを録画する。しかしながらそれに限らず例えば、コンテンツ受信装置１２は、番組表などで得た情報をもとに、視聴していない通信コンテンツを録画してもよい。本変形例によれば、本発明をさまざまな形態に適用できる。
【００５５】
本発明の実施例において、認証を行わないものとして説明を行った。しかしながらこれに限らず例えば、コンテンツ配信装置１０とコンテンツ受信装置１２との間において、コンテンツの送受信前に認証がなされてもよい。また、ＷＥＰ（Ｗｉｒｅｄ  Ｅｑｕｉｖａｌｅｎｔ  Ｐｒｉｖａｃｙ）やＷＰＡ（Ｗｉ−Ｆｉ  Ｐｒｏｔｅｃｔｅｄ  Ａｃｃｅｓｓ）と呼ばれる無線ＬＡＮの暗号化、２重の暗号化が使用されてもよい。本変形例によれば、コンテンツ配信システム１００の安全性を向上できる。
【００５６】
本発明の実施例において、通信網は、無線ＬＡＮであるとした。しかしながらこれに限らず例えば、通信網は、ＩＥＥＥ８０２．１５規格に準拠した通信システム等であってもよい。また、無線ＬＡＮでなく、有線ＬＡＮであってもよい。本変形例によれば、さまざまな通信システムを本発明に適用できる。
【図面の簡単な説明】
【００５７】
【図１】本発明の実施例に係るコンテンツ配信システムの構成を示す図である。
【図２】図１のコンテンツ配信装置の構成を示す図である。
【図３】図３（ａ）−（ｄ）は、図２のコンテンツ配信装置において処理されるコンテンツのフォーマットを示す図である。
【図４】図４（ａ）−（ｅ）は、図２のコンテンツ配信装置において生成されるＩＰパケットのフォーマットを示す図である。
【図５】図１のコンテンツ受信装置の構成を示す図である。
【図６】図１のコンテンツ配信システムによるコンテンツのダウンロード手順を示すシーケンス図である。
【図７】図２のコンテンツ配信装置によるＩＰパケットの配信手順を示すフローチャートである。
【図８】図２のコンテンツ配信装置によるコンテンツのダウンロード配信手順を示すフローチャートである。
【図９】図５のコンテンツ受信装置によるコンテンツのダウンロード手順を示すフローチャートである。
【図１０】図５のＴＳパケット処理部の動作手順を示すフローチャートである。
【符号の説明】
【００５８】
１０  コンテンツ配信装置、  １２  コンテンツ受信装置、  ２０  コンテンツ記憶部、  ２２  コンテンツ変換部、  ２４  ＬＡＮ配信部、  ２６  制御部、  ２８  アンテナ、  ４０  ＬＡＮ通信部、  ４２  ＩＰパケット処理部、  ４４  コンテンツ処理部、  ４６  ＴＳパケット処理部、  ４８  出力部、  ５０  データ記憶部、  ５２  制御部、  ５４  入力部、  ５６  アンテナ、  １００  コンテンツ配信システム。
【図１】
2008167193.tif 000003
【図２】
2008167193.tif 000004
【図３】
2008167193.tif 000005
【図４】
2008167193.tif 000006
【図５】
2008167193.tif 000007
【図６】
2008167193.tif 000008
【図７】
2008167193.tif 000009
【図８】
2008167193.tif 000010
【図９】
2008167193.tif 000011
【図１０】
2008167193.tif 000012